(57)【特許請求の範囲】
【請求項１】
送信されてきた画像データを受信する受信部と、
この受信部で受け取った画像データを印刷するために展開するページメモリと、
このページメモリから画像データをＤＭＡ転送で読み出し一旦バッファリングする第１画素データバッファと、
この第１画素データバッファから、画素間引きを行うために画像データを読み出し、ワード単位で、ＰＣＬＫの立ち上がりに同期して蓄積する第２画素データバッファと、
画像データから画素間引きを行う画素間引き制御部と、を備え、
前記画素間引き制御部は、ラインの先頭においてＬＩＮＥＳＴでＬＤを作成し、予め前記第１画素データバッファから第２画素データバッファにデータをロードしておき、
且つ主走査方向における縮小率を設定してあるレジスタの値により、出力する画素を選択するための画素アドレスを生成することにより、前記第２画素データバッファから出力される画像データの画素を、画素データ内のＰＣＬＫに同期して１画素ずつ選択して間引くことで主走査方向の縮小を行うことを特徴とするファクシミリ機能付きディジタル複写機。
【発明の詳細な説明】
【０００１】
【発明の属する技術分野】
本発明は、一定の間隔で画素を間引く回路構成をとることによって、クロック間引きによる不具合を解消したファクシミリ機能付ディジタル複写機の画像出力に関する。
【０００２】
【従来の技術】
従来のファクシミリ送信では、受信する画像信号が記録装置の用紙寸法やメモリ回路の記憶容量より大きい場合、所定の方法で縮小率を設定して画像信号を受信していた。しかしこの方法では、受信する画像信号の大きさを予め確認し、ユーザーが操作部のスイッチ等で縮小率を設定する作業が必要であり、操作が面倒であり、誤操作の可能性もあった。
【０００３】
そこで、その対策として、特開平２−１４６８６８号公報に記載の発明では、入力の主走査イネーブルを計数した副走査長によって縮小率を決定し、画像メモリに蓄積した入力画像をこの縮小率に従って読み出して間引き処理をすることにより、主走査縮小で画素クロックを間引き、入力画像の縮小を行っている。
この方法では、画信号の副走査長を検出した値により自動的に縮小率を設定することができ、外部より予め縮小率を設定する必要がなく、最適の縮小率で出力することができるようになっている。
【０００４】
【発明が解決しようとする課題】
ところで、上記従来法では、主走査縮小方法として画素クロックを間引いて画像を縮小しているが、ディジタル複写機等では１ライン毎に発生するライン同期信号（ＬＳＹＮＣ）の周期が、Ａ４横つまり２９７ｍｍ分は転送できるが、Ｂ４横、Ａ３横４２０ｍｍは転送できない周期となっている。
このとき、Ｂ４横をＡ４横に縮小すると、クロック間引きでは１ライン分の画素データとしてＢ４横分の転送が必要となるが、１ライン分の画素データの転送中にライン同期が途中で発生するため、図６の様に斜線部の画像（Ｂ４横）が捨てられることになってしまう。
そして、捨てられた斜線部を有する画像を縮小すると、Ａ４横の斜線部（図６の最下段Ａ４横参照）に不明な画像が記録され、これが出力されてしまうことになる。
【０００５】
そこで、本発明の目的は、一定の画素クロックの元に画素を間引く回路構成を取ることにより上記不具合が発生しないファクシミリ機能付ディジタル複写機を提供することである。
【０００６】
【課題を解決するための手段】
請求項１記載の発明では、送信されてきた画像データを受信する受信部と、この受信部で受け取った画像データを印刷するために展開するページメモリと、このページメモリから画像データをＤＭＡ転送で読み出し一旦バッファリングする第１画素データバッファと、この第１画素データバッファから、画素間引きを行うために画像データを読み出し、ワード単位で、ＰＣＬＫの立ち上がりに同期して蓄積する第２画素データバッファと、画像データから画素間引きを行う画素間引き制御部と、を備え、前記画素間引き制御部は、ラインの先頭においてＬＩＮＥＳＴでＬＤを作成し、予め前記第１画素データバッファから第２画素データバッファにデータをロードしておき、且つ主走査方向における縮小率を設定してあるレジスタの値により、出力する画素を選択するための画素アドレスを生成することにより、前記第２画素データバッファから出力される画像データの画素を、画素データ内のＰＣＬＫに同期して１画素ずつ選択して間引くことで主走査方向の縮小を行うことにより、前記目的を達成する。
【０００７】
【発明の実施の形態】
以下、本発明の好適な実施の形態を図１ないし図５を参照して詳細に説明する。
図１は、本実施の形態に係るファクシミリ機能付ディジタル複写機の受信部から記録部までの構成を示したブロック図である。また、図２は、画素間引き制御部の構成を示したブロック図である。図３はゲートの演算条件を表した図である。図４は縮小率を７０％に設定した場合のタイミングチャートであり、図５は縮小率×２５６をＨＲ［７：０］に８ビット２進数で設定することを説明した図である。
【０００８】
ファクシミリ機能付きディジタル複写機の受信部から記録部への構成は、図１に示すように、画像メモリ等を展開するページメモリ８、第１画素データバッファ９、第２画素データバッファ１０、画素間引き制御部１２、画素データ選択部１１、ラッチ１３により構成されている。
画素間引き制御部１２は、図２に示すように、カウンタ１およびレジスタ２、加算器３、比較器５、ラッチ４、６およびアドレス生成器７から構成されている。
【０００９】
図３に示すように、比較器５で、画素間引き信号ＨＣＯＭＰの値を、画素クロックをカウントした値×２５６をカウンタ１によってＣＮ［２０：０］に格納し、該値と、縮小率により定められたＨＲ［７：０］の演算によって求められるＡＤＬ［２０：０］の値とを比較することによって、ＣＮ［２０：０］がＡＤＬ［２０：０］の値よりも小さい時は、画素間引き信号ＨＣＯＭＰの値を０、大きい時は、画素間引き信号の値を１とするといった演算を比較器５で行う。画素間引き信号が１の時は加算器３においてＡＤＤに前記ＡＤＬに縮小率ＨＲ（７０％縮小の時は１７９といった値）に２を乗じた値を加えたもの、間引き信号が０の時はＡＤＬにＨＲを加えたものをＡＤＤに格納する。
アドレス生成器７においては、画素間引き信号ＨＣＯＭＰ、ＨＣＭＰＭ共に１のときにＨＤＡにＨＤＡ＋２をした値を格納する。この演算を各画素毎に行うことによってＨＤＡの値は決定されシリアル画素データの中から間引かれる画素が決定される。
【００１０】
次に、受信部でＢ４原稿を受信したが、装置にはＡ４横しかセットされないようなとき、Ｂ４原稿をＡ４横に入るよう縮小する時の主走査縮小の方法について説明する。
受信部からページメモリ８に展開された画像をＤＭＡ転送によってＤＡＣＫの立ち上がりで第１画素データバッフア９に書き込む。次に、画素間引きを行うために、画素間引き制御部１２からのＬＤ信号によって第２画素データバッフア１０にＰＣＬＫの立ち上がりに同期して書き込む。
【００１１】
この時、ラインの先頭においてはＬＩＮＥＳＴ信号でＬＤを作り、予め第１画素データバッフア９から第２画素データバッフア１０にデータをロードする。画素間引き制御部１２からは、縮小率が設定されているレジスタ２の値によって図４のタイミングチャートで示すＨＤＡ［３：０］が生成される。この画素アドレス信号によって第２画素データバッフア１０から出力される画素データの内ＰＣＬＫに同期して１画素づつ選択することで、画素を間引くことができる。選択された画素をＬＧＡＴＥによってゲート処理を行い、エンジンのＰＣＬＫに同期して出力する。
【００１２】
【発明の効果】
請求項１記載の発明では、主走査縮小において、一定の画素クロックの元に画素を間引くことで、画素クロックを間引くことによる不具合を解消することができる。
【図面の簡単な説明】
【図１】  本実施の形態に係るファクシミリ機能付ディジタル複写機の画像受信部から画像記録部への構成を示したブロック図である。
【図２】画素間引き制御部の構成を示したブロック図である。
【図３】画素間引き制御部のゲート、比較器、加算器、アドレス生成器の演算条件である。
【図４】本発明の実施の形態での縮小率７０％時のタイミングチャートである。
【図５】縮小率の設定を示した図である。
【図６】従来法における受信画像等を縮小し、記録画像等を生成する際に不明な画像が記録される問題点を説明する図である。
【符号の説明】
２  レジスタ
３  加算器
５  比較器
７  アドレス生成器
９  第１画素データバッファ
１１  画素データ選択部
１２  画素間引き制御部
【図１】
0003982776.tif 000002
【図２】
0003982776.tif 000003
【図３】
0003982776.tif 000004
【図４】
0003982776.tif 000005
【図５】
0003982776.tif 000006
【図６】
0003982776.tif 000007